(57)【要約】【課題】全ての電灯が消灯する不具合を防止できる装飾照明装置を提供する。【解決手段】互いに並列に接続された複数のＬＥＤ光源１３ａ，１３ｂからなる光源対が、電力供給線１２に間隔をおいて複数直列に接続され、電力供給線１２に抵抗回路１４が接続されている。【選択図】  図１
0003186416.tif 000002
【実用新案登録請求の範囲】
【請求項１】
互いに並列に接続された複数の光源からなる光源対が、電力供給線に間隔をおいて複数直列に接続されている装飾照明装置。
【請求項２】
互いに並列に接続された複数のＬＥＤ光源からなる光源対が、電力供給線に間隔をおいて複数直列に接続されている装飾照明装置。
【請求項３】
前記電力供給線に抵抗回路が接続されている請求項１又は２に記載の装飾照明装置。
【考案の詳細な説明】
【技術分野】
【０００１】
本考案は、クリスマスツリーや街路樹などの装飾に用いて好ましいイルミネーション用装飾照明装置に関するものである。
【背景技術】
【０００２】
透明もしくは彩色された多数の白熱電球を１本の電源ケーブルにより直列に接続し、列状に配置したクリスマス用装飾電灯が知られている（特許文献１）。しかしながら、この種の照明装置では、一つの電球のフィラメントが切れたりケーブルが断線したりすると全ての電球が消灯してしまうという問題がある。特に近年普及しているＬＥＤ照明は長寿命であるものの、この種の照明装置は装飾対象物にケーブルを巻き付けるといった作業をともなうことから、電灯との接続部が断線することが少なくない。
【先行技術文献】
【特許文献】
【０００３】
【特許文献１】特開２００４−２０６９４３号公報
【考案の概要】
【考案が解決しようとする課題】
【０００４】
本考案が解決しようとする課題は、全ての電灯が消灯する不具合を防止できる装飾照明装置を提供することである。
【課題を解決するための手段】
【０００５】
本考案は、電源ケーブルに対し所定間隔で一対の電灯を並列に接続することにより、上記課題を解決する。
【考案の効果】
【０００６】
本考案によれば、電源ケーブルに対して所定間隔で一対の電灯が並列に接続されているので、一方の電灯が断線などによって消灯しても他方の電灯及びその他の電灯対には電力が供給される。したがって、全ての電灯が消灯するといった不具合を防止することができる。
【図面の簡単な説明】
【０００７】
【図１】本考案の一実施の形態に係る装飾照明装置を示す電気回路図である。
【図２】本考案の一実施の形態に係る装飾照明装置を示す部分斜視図である。
【考案を実施するための形態】
【０００８】
本考案に係る装飾照明装置１は、家屋内外に設けられ、クリスマスツリーや街路樹などの装飾対象物に巻き付けられて装飾用照明として機能する照明装置であり、複数のＬＥＤ光源１３ａ，１３ｂと、交流電力を整流して直流電力に変換するＡＣ／ＤＣアダプタ１１と、商用交流電源２からＡＣ／ＤＣアダプタ１１を介してＬＥＤ光源１３ａ，１３ｂへ電力を供給する電力供給線１２と、変換された直流電力をＬＥＤ光源の定格電圧に調整する複数の抵抗回路１４と、を備える。なお、必要に応じて抵抗回路１４を省略してもよい。
【０００９】
本例のＡＣ／ＤＣアダプタ１１は、変圧回路と整流回路と必要に応じて安定化回路を備え、コンセントから供給される商用交流電力を変圧回路によって降圧させたのち整流回路によって整流し、シリーズレギュレータやスイッチングレギュレータなどの安定化回路を経由することで直流電力を出力する。
【００１０】
本例の一対のＬＥＤ光源１３ａ，１３ｂは、互いに並列に接続され、こうした対をなすＬＥＤ光源１３ａ，１３ｂが、電力供給線１２に所定間隔をおいて複数直列に接続されている。図１及び図２に示す例では、２つのＬＥＤ光源１３ａ，１３ｂを並列に接続したが、３つ以上のＬＥＤ光源を並列に接続してもよい。互いに並列に接続された２つ以上のＬＥＤ光源１３ａ，１３ｂを本例では一対のＬＥＤ光源と称することとする。
【００１１】
本例のＬＥＤ光源１３ａ，１３ｂは、図２に示すように円筒状に形成された電灯筐体内に発光ダイオードが設けられたものであるが、電灯筐体の形状は装飾などの必要に応じて適宜の形状とすることができる。
【００１２】
対をなすＬＥＤ光源１３ａ，１３ｂと隣接する対をなすＬＥＤ光源１３ａ，１３ｂとの間の電力供給線１２には、各ＬＥＤ光源１３ａ，１３ｂに印加される電圧を調整するための抵抗回路１４が直列に接続されている。上述したとおりこの抵抗回路１４は必要に応じて省略してもよい。
【００１３】
従来のように複数のＬＥＤ光源を直列に接続した場合と、本例のように互いに並列に接続された一対のＬＥＤ光源１３ａ，１３ｂを複数直列に接続した場合とを比較すると、同数のＬＥＤ光源を直列に接続しても一つのＬＥＤ光源に印加される電圧が相違する。たとえば、抵抗値Ｒ１のＬＥＤ光源を８つ直列に接続し、これに電圧Ｖを印加した場合の、一つのＬＥＤ光源に印加される電圧Ｖ１はＶ／Ｒ１となる。これに対して、図１に示すように抵抗値Ｒ１のＬＥＤ光源を２つ並列に接続したものを４つ直列に接続し、これに電圧Ｖを印加した場合の、一つのＬＥＤ光源１３ａ又は１３ｂに印加される電圧Ｖ１は２Ｖ／Ｒ１となり、従来のように複数のＬＥＤ光源を直列に接続した場合に比べて２倍の電圧が印加されることになる。２つのＬＥＤ光源１３ａ，１３ｂを並列に接続したことでこの部分の抵抗値が１／２になるからである。
【００１４】
したがって、ＡＣ／ＤＣアダプタ１１にてＬＥＤ光源１３ａ，１３ｂの定格電圧を考慮した電圧まで降圧すればよいが、ＡＣ／ＤＣアダプタ１１をたとえば従来の照明装置と共用する場合には、ＬＥＤ光源１３ａ，１３ｂに印加される電圧が定格電圧を満たすように、電力供給線１２に抵抗回路１４を設けることが好ましい。
【００１５】
なお、本考案の光源１１はＬＥＤ光源にのみ限定されず、交流電力で作動する白熱灯も適用することができる。交流電力の光源を用いる場合は、整流回路１５及び降圧回路１６を省略することもできる。
【００１６】
以上のように、本例の照明装置１によれば、一対のＬＥＤ光源１３ａ，１３ｂのうちの一方のＬＥＤ光源１３ａ又は１３ｂが断線しても、他方のＬＥＤ光源１３ｂ又は１３ａに電流が流れるので、他のＬＥＤ光源が消灯するといった不具合を防止することができる。
【００１７】
したがって、装飾用照明装置１の信頼性が著しく向上することになる。たとえば、２４個のＬＥＤ光源を直列に接続した場合において、各ＬＥＤ光源の信頼度をＲａとすると、全体の信頼度Ｒは、Ｒ＝Ｒａ２４となる。これに対して、本例のように２つのＬＥＤ光源を並列に接続したものを１２対直列に接続した場合において、各ＬＥＤ光源の信頼度をＲａとすると、並列部分の信頼度ＲｐはＲｐ＝１−（１−Ｒａ）２となり、これが１２対直列に接続されているので全体の信頼度Ｒは、Ｒ＝｛１−（１−Ｒａ）２｝１２となる。ここで、各ＬＥＤ光源の信頼度を仮にＲａ＝０．９とすると、２４個のＬＥＤ光源を直列に接続した場合の全体の信頼度はＲ＝０．０７９８であるのに対し、本例のように構成した場合の全体の信頼度はＲ＝０．８８６４となり、約１１倍信頼度が向上することになる。
【符号の説明】
【００１８】
１…装飾照明装置
１１…ＡＣ／ＤＣアダプタ
１２…電力供給線
１３ａ，１３ｂ…ＬＥＤ光源
１４…抵抗回路
２…商用交流電源
【図１】
0003186416.tif 000003
【図２】
0003186416.tif 000004